(57)【要約】【課題】長尺紙の画像形成動作中に用紙ジャムが発生した場合、ユーザーに大きな負担を与えることなく、画像形成動作を再開させることが可能な画像形成システムを提供する。【解決手段】画像形成システム１００は、長尺紙Ｐを給紙する給紙装置１と、給紙装置１により給紙された長尺紙Ｐに画像を形成する画像形成装置２と、画像形成装置２により画像が形成された長尺紙Ｐを排紙する巻き取り装置３とを備える。さらに、画像形成システム１００は、画像形成システム１００内において用紙ジャムが発生した際に、当該用紙ジャムを解消するためのジャム処理を実行するジャム処理実行部と、用紙ジャムの発生状況に応じて、ジャム処理を実行するようにジャム処理実行部を制御する制御部１０１とを備える。【選択図】図１
2015210433.tif 000002
【特許請求の範囲】
【請求項１】
長尺紙を給紙する給紙装置と、
前記給紙装置により給紙された前記長尺紙に画像を形成する画像形成装置と、
前記画像形成装置により画像が形成された前記長尺紙を排紙する排紙装置と、
を備える画像形成システムにおいて、
前記画像形成システム内において用紙ジャムが発生した際に、当該用紙ジャムを解消するためのジャム処理を実行するジャム処理実行部と、
前記用紙ジャムの発生状況に応じて、前記ジャム処理を実行するようにジャム処理実行部を制御する制御部と、
を備えることを特徴とする画像形成システム。
【請求項２】
前記ジャム処理の実行を受け付ける操作受付部を備え、
前記制御部は、前記操作受付部により前記ジャム処理の実行が受け付けられた場合、前記ジャム処理の実行を開始することを特徴とする請求項１に記載の画像形成システム。
【請求項３】
前記給紙装置内で前記長尺紙の先端位置に前記用紙ジャムが発生した場合、前記ジャム処理は、当該長尺紙を搬送方向と逆方向に搬送する処理を含むことを特徴とする請求項１または２に記載の画像形成システム。
【請求項４】
前記画像形成装置内において前記長尺紙に画像を形成する画像形成位置の搬送方向上流側で前記長尺紙の先端位置に前記用紙ジャムが発生した場合、前記ジャム処理は、当該長尺紙を搬送方向と逆方向に搬送する処理を含むことを特徴とする請求項１または２に記載の画像形成システム。
【請求項５】
前記長尺紙を用紙搬送経路から退避させるための第１退避部を備え、
前記ジャム処理実行部は、前記給紙装置と前記画像形成装置との間の接続部分に設けられ、前記長尺紙を幅方向に切断する第１切断部を有し、
前記画像形成装置内において前記長尺紙に画像を形成する画像形成位置の搬送方向上流側で前記長尺紙の先端位置に前記用紙ジャムが発生した場合、前記ジャム処理は、前記第１切断部により切断された前記長尺紙のうち、前記給紙装置内に残留する部分を搬送方向と逆方向に搬送するとともに、前記画像形成装置内に残留する部分を搬送方向と逆方向に搬送して前記第１退避部に移動させる処理を含むことを特徴とする請求項１または２に記載の画像形成システム。
【請求項６】
前記長尺紙を用紙搬送経路から退避させるための第２退避部を備え、
前記ジャム処理実行部は、前記給紙装置と前記画像形成装置との間に設けられ、前記長尺紙を用紙幅方向に切断する第１切断部を有し、
前記画像形成装置は、前記長尺紙に形成した前記画像を当該長尺紙に定着し、
前記画像形成装置内において前記長尺紙に前記画像を定着する定着位置の搬送方向下流側で前記長尺紙の先端位置に前記用紙ジャムが発生した場合、前記ジャム処理は、前記第１切断部により切断された前記長尺紙のうち、前記給紙装置内に残留する部分を搬送方向と逆方向に搬送するとともに、前記画像形成装置内に残留する部分を搬送方向に搬送して前記第２退避部に移動させる処理を含むことを特徴とする請求項１または２に記載の画像形成システム。
【請求項７】
前記画像形成装置内に残留する部分を搬送する速度は、前記用紙ジャムが発生していない場合の搬送速度より遅く、かつ、定着処理が可能な速度であることを特徴とする請求項６に記載の画像形成システム。
【請求項８】
前記排紙装置内で前記長尺紙の先端位置に前記用紙ジャムが発生した場合、前記ジャム処理は、当該用紙ジャムが発生した位置の搬送方向上流側の直前に位置する搬送ローラーを逆回転させた後に正回転させる処理を含むことを特徴とする請求項１または２に記載の画像形成システム。
【請求項９】
前記長尺紙を用紙搬送経路から退避させるための第３退避部を備え、
前記ジャム処理実行部は、前記画像形成装置と前記排紙装置との間に設けられ、前記長尺紙を用紙幅方向に切断する第２切断部を有し、
前記排紙装置内で前記長尺紙の先端位置に前記用紙ジャムが発生した場合、前記ジャム処理は、前記第２切断部により切断された前記長尺紙のうち、前記排紙装置内に残留する部分を搬送方向と逆方向に搬送して前記第３退避部に移動させる処理を含むことを特徴とする請求項１または２に記載の画像形成システム。
【請求項１０】
前記長尺紙の途中位置に前記用紙ジャムが発生した場合、前記ジャム処理は、当該用紙ジャムが発生した位置の搬送方向上流側の直前に位置する搬送ローラーを逆回転させた後に正回転させる処理を含むことを特徴とする請求項１または２に記載の画像形成システム。
【発明の詳細な説明】
【技術分野】
【０００１】
本発明は、電子写真方式の画像形成システムに関する。
【背景技術】
【０００２】
一般に、電子写真プロセス技術を利用した画像形成装置（プリンター、複写機、ファクシミリ等）は、帯電した感光体に対して、画像データに基づくレーザー光を照射（露光）することにより静電潜像を形成する。そして、静電潜像が形成された感光体（像担持体）へ現像装置よりトナーを供給することにより静電潜像を可視化してトナー像を形成する。さらに、このトナー像を直接又は間接的に用紙に転写させた後、加熱、加圧して定着させることにより用紙に画像を形成する。
【０００３】
従来、上記画像形成装置の前段および後段に、画像形成装置に用紙を給紙する給紙装置と、画像形成装置から搬送された用紙を排紙する排紙装置とをそれぞれ接続して、画像形成システムを構成したものが知られている。
【０００４】
特許文献１には、紙詰まりが発生した際に、その用紙先端位置にかかわらずロール紙片の除去が簡単に行えるように構成したロール紙給紙装置が開示されている。特許文献１に記載のロール紙給紙装置は、紙詰まり発生時の用紙先端位置に応じて、下流側での除去よりも上流側での除去が望ましい場合には記録紙を上流側へ巻き戻し、また上級側での除去よりも下流側での除去が望ましい場合には記録紙を切断する。
【先行技術文献】
【特許文献】
【０００５】
【特許文献１】特開平８−９１６５８号公報
【発明の概要】
【発明が解決しようとする課題】
【０００６】
ところで、上記画像形成システムでは、長尺紙に画像を形成する画像形成動作中に、長尺紙の用紙搬送経路上で搬送途中の長尺紙が詰まる用紙ジャムが発生する場合がある。この場合、画像形成動作を一時中断し、用紙ジャムを起こして停止している長尺紙がユーザーによって除去されたことを確認してから画像形成動作を再開するなどのリカバリを行っている。しかしながら、搬送途中で停止している長尺紙を除去することは、当該長尺紙が給紙装置、画像形成装置および排紙装置のうち２つ以上の装置間に跨がっている場合もあり、大変面倒な作業である。したがって、長尺紙の画像形成動作中に用紙ジャムが発生した場合、画像形成動作を再開させるため、ユーザーに大きな負担を与えてしまうという問題があった。
【０００７】
なお、特許文献１に記載の技術は、長尺紙の画像形成動作中に用紙ジャムが発生した場合、ユーザーに大きな負担を与えることなく、画像形成動作を再開させることを目的としたものではなく、したがってそのための構成を有していない。
【０００８】
本発明は、長尺紙の画像形成動作中に用紙ジャムが発生した場合、ユーザーに大きな負担を与えることなく、画像形成動作を再開させることが可能な画像形成システムを提供することを目的とする。
【課題を解決するための手段】
【０００９】
本発明に係る画像形成システムは、
長尺紙を給紙する給紙装置と、
前記給紙装置により給紙された前記長尺紙に画像を形成する画像形成装置と、
前記画像形成装置により画像が形成された前記長尺紙を排紙する排紙装置と、
を備える画像形成システムにおいて、
前記画像形成システム内において用紙ジャムが発生した際に、当該用紙ジャムを解消するためのジャム処理を実行するジャム処理実行部と、
前記用紙ジャムの発生状況に応じて、前記ジャム処理を実行するようにジャム処理実行部を制御する制御部と、
を備えることを特徴とする。
【発明の効果】
【００１０】
本発明によれば、画像形成システム内において用紙ジャムが発生した際に、用紙ジャムの発生状況に応じて、好適なジャム処理が自動的に実行されるため、ユーザーは、用紙ジャムを起こして搬送途中で停止している長尺紙を除去するという大変面倒な作業をわざわざ行うことなく（すなわち、ユーザーに大きな負担を与えることなく）、画像形成動作を再開させることができる。
【図面の簡単な説明】
【００１１】
【図１】本実施の形態における画像形成システムの全体構成を概略的に示す図である。
【図２】本実施の形態における画像形成装置の制御系の主要部を示す図である。
【図３】本実施の形態における用紙ジャムの発生状況を示す図である。
【図４】本実施の形態における用紙ジャムの発生状況を示す図である。
【図５】本実施の形態における用紙ジャムの発生状況を示す図である。
【図６】本実施の形態における用紙ジャムの発生状況を示す図である。
【図７】本実施の形態における用紙ジャムの発生状況を示す図である。
【図８】本実施の形態における蛇腹ジャムを解消する動作を説明する図である。
【図９】本実施の形態における画像形成システムのジャム処理を示すフローチャートである。
【発明を実施するための形態】
【００１２】
以下、本実施の形態を図面に基づいて詳細に説明する。
［画像形成システム１００の構成］
図１は、本発明の実施の形態に係る画像形成システム１００の全体構成を概略的に示す図である。図２は、本実施の形態に係る画像形成装置２の制御系の主要部を示す。画像形成システム１００は、長尺紙Ｐまたは用紙Ｓ（非長尺紙）を記録媒体として使用し、当該長尺紙Ｐ上または用紙Ｓ上に画像を形成するシステムである。ここで、長尺紙Ｐとは、搬送方向において所定の長さ（例えば、画像形成装置２の本体幅）を超える長さを有する用紙である。
【００１３】
図１に示すように、画像形成システム１００は、長尺紙Ｐの搬送方向（以下、用紙搬送方向とも言う）に沿って上流側から、給紙装置１、画像形成装置２および巻き取り装置３（本発明の「排紙装置」に対応）が接続されて構成される。給紙装置１および巻き取り装置３は、長尺紙Ｐ上に画像を形成する場合に使用される。
【００１４】
給紙装置１は、長尺紙Ｐを画像形成装置２へ給紙する装置である。給紙装置１の筐体内では、図１に示すように、ロール状の長尺紙Ｐが支持軸に巻回されて回転可能に保持されている。給紙装置１は、支持軸に巻回された長尺紙Ｐを、複数の搬送ローラー対８０〜８３（例えば、繰り出しローラー、給紙ローラー等）を経由して、一定の速度で機外（画像形成装置２）へ搬送する。給紙装置１の給紙動作は、画像形成装置２が備える制御部１０１によって制御される。
【００１５】
給紙装置１と画像形成装置２との間の接続部分には、長尺紙Ｐが給紙装置１および画像形成装置２に跨がった状態で、長尺紙Ｐを幅方向に切断する給紙側切断部１１０（本発明の「第１切断部」に対応）が設けられている。具体的には、給紙側切断部１１０は，長尺紙Ｐを切断するためのカッター刃（図示せず）と、カッター刃を用紙搬送方向に直交する幅方向へ移動させる移動部（図示せず）とを有する。通常の状態では、カッター刃は移動部によって用紙搬送経路の範囲外（ホームポジション）に引き出されている。給紙側切断部１１０の切断動作は、画像形成装置２が備える制御部１０１によって制御される。給紙側切断部１１０により長尺紙Ｐが切断される場合、制御部１０１は、長尺紙Ｐの搬送方向において給紙側切断部１１０の上流側および下流側の直前に位置する搬送ローラー対８３，５３ａを圧接させて長尺紙Ｐを固定する。なお、給紙側切断部１１０は、カッター刃を使用することなく、レーザー光を長尺紙Ｐに照射して当該レーザー光によって焼き切って長尺紙Ｐを切断しても良い。
【００１６】
本実施の形態では、給紙装置１内には、給紙側切断部１１０により長尺紙Ｐが切断された場合、その長尺紙Ｐを用紙搬送経路から退避させるための給紙側退避部８６（本発明の「第１退避部」に対応）が設けられている。
【００１７】
なお、給紙装置１において、長尺紙Ｐは、必ずしもロール状に保持されている必要はなく、所定サイズ（例えば、２１０［ｍｍ］×１２００［ｍｍ］）の複数の長尺紙Ｐが保持されていても良い。
【００１８】
画像形成装置２は、電子写真プロセス技術を利用した中間転写方式のカラー画像形成装置である。すなわち、画像形成装置２は、感光体ドラム４１３上に形成されたＹ（イエロー）、Ｍ（マゼンタ）、Ｃ（シアン）、Ｋ（ブラック）の各色トナー像を中間転写ベルト４２１に転写（一次転写）し、中間転写ベルト４２１上で４色のトナー像を重ね合わせた後、給紙装置１から給紙された長尺紙Ｐ、または、給紙トレイユニット５１ａ〜５１ｃから送出された用紙Ｓに転写（二次転写）することにより、画像を形成する。
【００１９】
また、画像形成装置２には、ＹＭＣＫの４色に対応する感光体ドラム４１３を中間転写ベルト４２１の走行方向に直列配置し、中間転写ベルト４２１に一回の手順で各色トナー像を順次転写させるタンデム方式が採用されている。
【００２０】
図２に示すように、画像形成装置２は、画像読取部１０、操作表示部２０、画像処理部３０、画像形成部４０、用紙搬送部５０、定着部６０、ジャム検知部７５および制御部１０１を備える。
【００２１】
制御部１０１は、ＣＰＵ（Central  Processing  Unit）１０２、ＲＯＭ（Read  Only  Memory）１０３、ＲＡＭ（Random  Access  Memory）１０４等を備える。ＣＰＵ１０２は、ＲＯＭ１０３から処理内容に応じたプログラムを読み出してＲＡＭ１０４に展開し、展開したプログラムと協働して画像形成装置２の各ブロック等の動作を集中制御する。このとき、記憶部７２に格納されている各種データが参照される。記憶部７２は、例えば不揮発性の半導体メモリ（いわゆるフラッシュメモリ）やハードディスクドライブで構成される。
【００２２】
制御部１０１は、通信部７１を介して、ＬＡＮ（Local Area Network）、ＷＡＮ（Wide Area Network）等の通信ネットワークに接続された外部の装置（例えばパーソナルコンピューター）との間で各種データの送受信を行う。制御部１０１は、例えば、外部の装置から送信された画像データを受信し、この画像データ（入力画像データ）に基づいて長尺紙Ｐまたは用紙Ｓに画像を形成させる。通信部７１は、例えばＬＡＮカード等の通信制御カードで構成される。
【００２３】
画像読取部１０は、ＡＤＦ（Auto  Document  Feeder）と称される自動原稿給紙装置１１及び原稿画像走査装置１２（スキャナー）等を備えて構成される。
【００２４】
自動原稿給紙装置１１は、原稿トレイに載置された原稿Ｄを搬送機構により搬送して原稿画像走査装置１２へ送り出す。自動原稿給紙装置１１により、原稿トレイに載置された多数枚の原稿Ｄの画像（両面を含む）を連続して一挙に読み取ることが可能となる。
【００２５】
原稿画像走査装置１２は、自動原稿給紙装置１１からコンタクトガラス上に搬送された原稿又はコンタクトガラス上に載置された原稿を光学的に走査し、原稿からの反射光をＣＣＤ（Charge Coupled Device）センサー１２ａの受光面上に結像させ、原稿画像を読み取る。画像読取部１０は、原稿画像走査装置１２による読取結果に基づいて入力画像データを生成する。この入力画像データには、画像処理部３０において所定の画像処理が施される。
【００２６】
操作表示部２０は、例えばタッチパネル付の液晶ディスプレイ（ＬＣＤ：Liquid Crystal Display）で構成され、表示部２１及び操作部２２として機能する。表示部２１は、制御部１０１から入力される表示制御信号に従って、各種操作画面、画像の状態、各機能の動作状況等の表示を行う。操作部２２（本発明の「操作受付部」に対応）は、テンキー、スタートキー等の各種操作キーを備え、ユーザーによる各種入力操作を受け付けて、操作信号を制御部１０１に出力する。操作部２２は、後述するジャム処理の実行を受け付け、その受け付けに対応する操作信号を制御部１０１に出力する。
【００２７】
画像処理部３０は、入力画像データに対して、初期設定又はユーザー設定に応じたデジタル画像処理を行う回路等を備える。例えば、画像処理部３０は、制御部１０１の制御下で、階調補正データ（階調補正テーブル）に基づいて階調補正を行う。また、画像処理部３０は、入力画像データに対して、階調補正の他、色補正、シェーディング補正等の各種補正処理や、圧縮処理等を施す。これらの処理が施された画像データに基づいて、画像形成部４０が制御される。
【００２８】
画像形成部４０は、入力画像データに基づいて、Ｙ成分、Ｍ成分、Ｃ成分、Ｋ成分の各有色トナーによる画像を形成するための画像形成ユニット４１Ｙ、４１Ｍ、４１Ｃ、４１Ｋ、中間転写ユニット４２等を備える。
【００２９】
Ｙ成分、Ｍ成分、Ｃ成分、Ｋ成分用の画像形成ユニット４１Ｙ、４１Ｍ、４１Ｃ、４１Ｋは、同様の構成を有する。図示及び説明の便宜上、共通する構成要素は同一の符号で示し、それぞれを区別する場合には符号にＹ、Ｍ、Ｃ、又はＫを添えて示すこととする。図１では、Ｙ成分用の画像形成ユニット４１Ｙの構成要素についてのみ符号が付され、その他の画像形成ユニット４１Ｍ、４１Ｃ、４１Ｋの構成要素については符号が省略されている。
【００３０】
画像形成ユニット４１は、露光装置４１１、現像装置４１２、感光体ドラム４１３、帯電装置４１４、及びドラムクリーニング装置４１５等を備える。
【００３１】
感光体ドラム４１３は、例えばドラム径が８０［ｍｍ］のアルミニウム製の導電性円筒体（アルミ素管）の周面に、アンダーコート層（ＵＣＬ：Under Coat Layer）、電荷発生層（ＣＧＬ：Charge Generation Layer）、電荷輸送層（ＣＴＬ：Charge Transport Layer）を順次積層した負帯電型の有機感光体（ＯＰＣ：Organic Photo-conductor）である。電荷発生層は、電荷発生材料（例えばフタロシアニン顔料）を樹脂バインダー（例えばポリカーボネイト）に分散させた有機半導体からなり、露光装置４１１による露光により一対の正電荷と負電荷を発生する。電荷輸送層は、正孔輸送性材料（電子供与性含窒素化合物）を樹脂バインダー（例えばポリカーボネイト樹脂）に分散させたものからなり、電荷発生層で発生した正電荷を電荷輸送層の表面まで輸送する。
【００３２】
制御部１０１が感光体ドラム４１３を回転させる駆動モーター（図示略）に供給される駆動電流を制御することにより、感光体ドラム４１３は一定の周速度で回転する。
【００３３】
帯電装置４１４は、光導電性を有する感光体ドラム４１３の表面を一様に負極性に帯電させる。露光装置４１１は、例えば半導体レーザーで構成され、感光体ドラム４１３に対して各色成分の画像に対応するレーザー光を照射する。感光体ドラム４１３の電荷発生層で正電荷が発生し、電荷輸送層の表面まで輸送されることにより、感光体ドラム４１３の表面電荷（負電荷）が中和される。感光体ドラム４１３の表面には、周囲との電位差により各色成分の静電潜像が形成されることとなる。
【００３４】
現像装置４１２は、二成分現像方式の現像装置であり、感光体ドラム４１３の表面に各色成分のトナーを付着させることにより静電潜像を可視化してトナー像を形成する。
【００３５】
ドラムクリーニング装置４１５は、感光体ドラム４１３の表面に摺接されるドラムクリーニングブレード等を有し、一次転写後に感光体ドラム４１３の表面に残存する転写残トナーを除去する。
【００３６】
中間転写ユニット４２は、中間転写ベルト４２１、一次転写ローラー４２２、複数の支持ローラー４２３、二次転写ローラー４２４、及びベルトクリーニング装置４２６等を備える。
【００３７】
中間転写ベルト４２１は無端状ベルトで構成され、複数の支持ローラー４２３にループ状に張架される。複数の支持ローラー４２３のうちの少なくとも一つは駆動ローラーで構成され、その他は従動ローラーで構成される。例えば、Ｋ成分用の一次転写ローラー４２２よりもベルト走行方向下流側に配置されるローラー４２３Ａが駆動ローラーであることが好ましい。これにより、一次転写部におけるベルトの走行速度を一定に保持しやすくなる。駆動ローラー４２３Ａが回転することにより、中間転写ベルト４２１は矢印Ａ方向に一定速度で走行する。
【００３８】
中間転写ベルト４２１は、導電性および弾性を有するベルトであり、表面に体積抵抗率が８〜１１［ｌｏｇΩ・ｃｍ］である高抵抗層を有する。中間転写ベルト４２１は、制御部１０１からの制御信号によって回転駆動される。なお、中間転写ベルト４２１については、導電性および弾性を有するものであれば、材質、厚さおよび硬度を限定しない。
【００３９】
一次転写ローラー４２２は、各色成分の感光体ドラム４１３に対向して、中間転写ベルト４２１の内周面側に配置される。中間転写ベルト４２１を挟んで、一次転写ローラー４２２が感光体ドラム４１３に圧接されることにより、感光体ドラム４１３から中間転写ベルト４２１へトナー像を転写するための一次転写ニップが形成される。
【００４０】
二次転写ローラー４２４は、駆動ローラー４２３Ａのベルト走行方向下流側に配置されるローラー４２３Ｂ（以下「バックアップローラー４２３Ｂ」と称する）に対向して、中間転写ベルト４２１の外周面側に配置される。中間転写ベルト４２１を挟んで、二次転写ローラー４２４がバックアップローラー４２３Ｂに圧接されることにより、中間転写ベルト４２１から長尺紙Ｐまたは用紙Ｓへトナー像を転写するための二次転写ニップ（本発明の「画像形成位置」に対応）が形成される。
【００４１】
一次転写ニップを中間転写ベルト４２１が通過する際、感光体ドラム４１３上のトナー像が中間転写ベルト４２１に順次重ねて一次転写される。具体的には、一次転写ローラー４２２に一次転写バイアスを印加し、中間転写ベルト４２１の裏面側（一次転写ローラー４２２と当接する側）にトナーと逆極性の電荷を付与することにより、トナー像は中間転写ベルト４２１に静電的に転写される。
【００４２】
その後、長尺紙Ｐまたは用紙Ｓが二次転写ニップを通過する際、中間転写ベルト４２１上のトナー像が長尺紙Ｐまたは用紙Ｓに二次転写される。具体的には、二次転写ローラー４２４に二次転写バイアスを印加し、長尺紙Ｐまたは用紙Ｓの裏面側（二次転写ローラー４２４と当接する側）にトナーと逆極性の電荷を付与することにより、トナー像は長尺紙Ｐまたは用紙Ｓに静電的に転写される。トナー像が転写された長尺紙Ｐまたは用紙Ｓは定着部６０に向けて搬送される。
【００４３】
ベルトクリーニング装置４２６は、二次転写後に中間転写ベルト４２１の表面に残留する転写残トナーを除去する。なお、二次転写ローラー４２４に代えて、二次転写ローラーを含む複数の支持ローラーに、二次転写ベルトがループ状に張架された構成（いわゆるベルト式の二次転写ユニット）を採用しても良い。
【００４４】
定着部６０は、長尺紙Ｐまたは用紙Ｓの定着面（トナー像が形成されている面）側に配置される定着面側部材を有する上側定着部６０Ａ、長尺紙Ｐまたは用紙Ｓの裏面（定着面の反対の面）側に配置される裏面側支持部材を有する下側定着部６０Ｂ等を備える。定着面側部材に裏面側支持部材が圧接されることにより、長尺紙Ｐまたは用紙Ｓを狭持して搬送する定着ニップ（本発明の「定着位置」に対応）が形成される。
【００４５】
定着部６０は、トナー像が二次転写され、搬送されてきた長尺紙Ｐまたは用紙Ｓを定着ニップで加熱、加圧することにより、長尺紙Ｐまたは用紙Ｓにトナー像を定着させる。定着部６０は、定着器Ｆ内にユニットとして配置される。また、定着器Ｆには、エアを吹き付けることにより、定着面側部材又は裏面側支持部材から長尺紙Ｐまたは用紙Ｓを分離させるエア分離ユニットが配置されていても良い。
【００４６】
上側定着部６０Ａは、定着面側部材である無端状の定着ベルト６１、加熱ローラー６２および定着ローラー６３を有する（ベルト加熱方式）。定着ベルト６１は、加熱ローラー６２と定着ローラー６３とに所定のベルト張力（例えば、４０［Ｎ］）で張架されている。
【００４７】
定着ベルト６１は、トナー像が形成された長尺紙Ｐまたは用紙Ｓに接触して、当該トナー像を長尺紙Ｐまたは用紙Ｓに定着温度（例えば、１６０〜２００［℃］）で加熱定着する。ここで、定着温度とは、長尺紙Ｐまたは用紙Ｓ上のトナーを溶融するのに必要な熱量を供給しうる温度であり、画像形成される長尺紙Ｐまたは用紙Ｓの紙種等によって異なる。
【００４８】
加熱ローラー６２は、加熱源（ハロゲンヒーター）を内蔵し、定着ベルト６１を加熱する。加熱源の温度は、制御部１０１によって制御される。加熱源によって加熱ローラー６２が加熱され、その結果、定着ベルト６１が加熱される。
【００４９】
定着ローラー６３の駆動制御（例えば、回転のオン／オフ、周速度等）は、制御部１０１によって行われる。制御部１０１は、定着ローラー６３を時計回り方向に回転させる。定着ローラー６３が回転することにより、定着ベルト６１および加熱ローラー６２は、時計回り方向に従動回転する。
【００５０】
下側定着部６０Ｂは、裏面側支持部材である加圧ローラー６４を有する（ローラー加圧方式）。加圧ローラー６４の駆動制御（例えば、回転のオン／オフ、周速度等）は、制御部１０１によって行われる。制御部１０１は、加圧ローラー６４を反時計回り方向に回転させる。加圧ローラー６４は、定着ベルト６１を介して定着ローラー６３に所定の定着荷重（例えば、１０００［Ｎ］）で圧接される。このようにして、定着ベルト６１と加圧ローラー６４との間には、用紙Ｓを狭持して搬送する定着ニップが形成される。
【００５１】
用紙搬送部５０は、給紙部５１、排紙部５２、及び搬送経路部５３等を備える。給紙部５１を構成する３つの給紙トレイユニット５１ａ〜５１ｃには、坪量やサイズ等に基づいて識別された用紙Ｓ（規格用紙、特殊用紙）が予め設定された種類毎に収容される。搬送経路部５３は、レジストローラー対５３ｅを含む複数の搬送ローラー対５３ａ〜５３ｆを有する。
【００５２】
給紙トレイユニット５１ａ〜５１ｃに収容されている用紙Ｓは、最上部から一枚ずつ送出され、搬送経路部５３により画像形成部４０に搬送される。このとき、レジストローラー対５３ｅが配設されたレジストローラー部により、給紙された用紙Ｓの傾きが補正されるとともに搬送タイミングが調整される。そして、画像形成部４０において、中間転写ベルト４２１のトナー像が用紙Ｓの一方の面に一括して二次転写され、定着部６０において定着工程が施される。また、給紙装置１から画像形成装置２へ給紙された長尺紙Ｐは、搬送経路部５３により画像形成部４０に搬送される。そして、画像形成部４０において、中間転写ベルト４２１のトナー像が長尺紙Ｐの一方の面に一括して二次転写され、定着部６０において定着工程が施される。画像形成された長尺紙Ｐまたは用紙Ｓは、搬送ローラー対（排紙ローラー対）５２ａを備えた排紙部５２により機外（巻き取り装置３）に排紙される。
【００５３】
巻き取り装置３は、画像形成装置２から搬送されてきた長尺紙Ｐを巻き取る装置である。巻き取り装置３の筐体内では、例えば、図１に示すように、長尺紙Ｐが支持軸に巻回されてロール状に保持される。そのために、巻き取り装置３は、画像形成装置２から搬送されてきた長尺紙Ｐを、複数の搬送ローラー対９０〜９２（例えば、繰り出しローラー、排紙ローラー）を経由して、一定の速度で支持軸に巻き取る。巻き取り装置３の巻き取り動作は、画像形成装置２が備える制御部１０１によって制御される。
【００５４】
画像形成装置２と巻き取り装置３との間の接続部分には、長尺紙Ｐが画像形成装置２および巻き取り装置３に跨がった状態で、長尺紙Ｐを幅方向に切断する巻き取り側切断部１２０（本発明の「第２切断部」に対応）が設けられている。具体的には、巻き取り側切断部１２０は，長尺紙Ｐを切断するためのカッター刃（図示せず）と、カッター刃を用紙搬送方向に直交する幅方向へ移動させる移動部（図示せず）とを有する。通常の状態では、カッター刃は移動部によって用紙搬送経路の範囲外（ホームポジション）に引き出されている。巻き取り側切断部１２０の切断動作は、画像形成装置２が備える制御部１０１によって制御される。巻き取り側切断部１２０により長尺紙Ｐが切断される場合、制御部１０１は、長尺紙Ｐの搬送方向において巻き取り側切断部１２０の上流側および下流側の直前に位置する搬送ローラー対５２ａ，９０を圧接させて長尺紙Ｐを固定する。なお、巻き取り側切断部１２０は、カッター刃を使用することなく、レーザー光を長尺紙Ｐに照射して当該レーザー光によって焼き切って長尺紙Ｐを切断しても良い。
【００５５】
本実施の形態では、巻き取り装置３内には、巻き取り側切断部１２０により長尺紙Ｐが切断された場合、その長尺紙Ｐを用紙搬送経路から退避させるための巻き取り側退避部９５（本発明の「第２退避部」および「第３退避部」に対応）が設けられている。
【００５６】
ジャム検知部７５は、長尺紙Ｐの用紙搬送経路の各部に配置された光学センサーにより、長尺紙Ｐの各部の通過を検出し、各部間の通過時間が所定時間以上となった場合に、用紙ジャム（紙詰まり）の発生を検知する。そして、ジャム検知部７５は、検知した用紙ジャムに対応するジャムコードを制御部１０１に出力する。ジャムコードは、用紙ジャムの発生状況（例えば、発生位置、発生要因、発生日時等）を一意に特定するためのジャム識別番号である。制御部１０１は、ジャム検知部７５から出力されたジャムコードを参照することによって、用紙ジャムの具体的な発生状況を把握することができる。なお、ジャムコードには、発生状況以外の詳細な情報を含ませることも可能である。また、ジャム検知部７５は、光学センサーに限らず、機械的なスイッチ等の他の機構によって構成されても良い。
【００５７】
制御部１０１は、画像形成システム１００内において用紙ジャムが発生した場合、画像形成動作を中断し、当該用紙ジャムの発生状況に応じて、当該用紙ジャムを解消するためのジャム処理の実行を制御する。本実施の形態では、制御部１０１は、操作部２２によりジャム処理の実行が受け付けられた場合、当該ジャム処理の実行を開始させる。
【００５８】
例えば、給紙装置１内（例えば、図３における用紙搬送経路上の位置Ｊ１）かつ長尺紙Ｐの先端位置で用紙ジャムが発生した場合、制御部１０１は、搬送ローラー対８０，８１を逆回転させることによって、長尺紙Ｐの先端位置が搬送方向における搬送ローラー対８０の上流側に移動するまで、長尺紙Ｐを搬送方向と逆方向に搬送する。その後、ユーザーは、給紙装置１の前扉を開けて、長尺紙Ｐを給紙装置１に再セットする作業を行う。
【００５９】
また、画像形成装置２内において長尺紙Ｐに画像を形成する画像形成位置（二次転写ニップ）の搬送方向上流側（例えば、図４における用紙搬送経路上の位置Ｊ２）かつ長尺紙Ｐの先端位置で用紙ジャムが発生した場合、制御部１０１は、搬送ローラー対５３ａ〜５３ｃ，８０〜８３を逆回転させることによって、長尺紙Ｐの先端位置が搬送方向における搬送ローラー対８０の上流側に移動するまで、長尺紙Ｐを搬送方向と逆方向に搬送する。その後、ユーザーは、長尺紙Ｐを給紙装置１に再セットする作業を行う。なお、制御部１０１は、給紙側切断部１１０を制御して長尺紙Ｐを幅方向に切断しても良い。この場合、制御部１０１は、搬送ローラー対８０〜８３を逆回転させることによって、切断された長尺紙Ｐのうち給紙装置１内に残留する部分の先端位置が搬送方向における搬送ローラー対８０の上流側に移動するまで、当該部分を搬送方向と逆方向に搬送する。また、制御部１０１は、搬送経路切り替え部材８５を図４に示す通常位置から時計回り方向に所定角度だけ回転させるとともに搬送ローラー対５３ａ〜５３ｃを逆回転させることによって、切断された長尺紙Ｐのうち画像形成装置２内に残留する部分を搬送方向と逆方向に搬送して給紙側退避部８６に移動させる。その後、ユーザーは、給紙装置１の前扉を開けて、長尺紙Ｐを給紙装置１に再セットする作業を行うとともに、給紙側退避部８６に移動された長尺紙Ｐを取り出す。
【００６０】
また、画像形成装置２内において長尺紙Ｐに画像を定着する定着位置（定着ニップ）の搬送方向下流側（例えば、図５における用紙搬送経路上の位置Ｊ３）かつ長尺紙Ｐの先端位置で用紙ジャムが発生した場合、制御部１０１は、給紙側切断部１１０を制御して長尺紙Ｐを幅方向に切断する。そして、制御部１０１は、搬送ローラー対８０〜８３を逆回転させることによって、切断された長尺紙Ｐのうち給紙装置１内に残留する部分の先端位置が搬送方向における搬送ローラー対８０の上流側に移動するまで、当該部分を搬送方向と逆方向に搬送する。また、制御部１０１は、搬送経路切り替え部材９３を図５に示す通常位置から反時計回り方向に所定角度だけ回転させるとともに搬送ローラー対５２ａ，５３ａ〜５３ｆ，９０、定着ローラー６３、加圧ローラー６４および二次転写ローラー４２４を正回転させることによって、切断された長尺紙Ｐのうち画像形成装置２内に残留する部分を搬送方向に搬送して巻き取り側退避部９５に移動させる。この際、巻き取り側退避部９５に移動される長尺紙Ｐ上の未定着トナー像は、定着部６０により長尺紙Ｐに定着させられる。これにより、画像形成装置２内に残留する部分を搬送方向と逆方向に搬送される場合と比べて、当該部分上の未定着トナー像によって画像形成装置２内（例えば、搬送ローラー対５３ａ〜５３ｅの表面）が汚れることを防止することができる。その後、ユーザーは、給紙装置１の前扉を開けて長尺紙Ｐを給紙装置１に再セットする作業を行うとともに、巻き取り装置３の前扉を開けて巻き取り側退避部９５に移動された長尺紙Ｐを取り出す。
【００６１】
なお、切断された長尺紙Ｐのうち画像形成装置２内に残留する部分を搬送方向に搬送する速度は、用紙ジャムが発生していない場合の搬送速度（例えば、３１５［ｍｍ／秒］）より遅く、かつ、定着処理が可能な速度（例えば、４０［ｍｍ／秒］）である。用紙ジャムの種類が蛇腹ジャムである場合は、制御部１０１は、図８に示すように蛇腹ジャムを解消させる動作を行った後で、切断された長尺紙Ｐのうち画像形成装置２内に残留する部分を搬送方向に搬送させることが好ましい。図８Ａは、定着ニップの搬送方向下流側かつ長尺紙Ｐの先端位置で蛇腹ジャムが発生した様子を示している。この場合、制御部１０１は、図８Ｂに示すように、用紙ジャムが発生した位置の搬送方向上流側の直前に位置する定着ローラー６３および加圧ローラー６４を逆回転させることによって、定着ニップに長尺紙Ｐを通紙して蛇腹ジャムを戻す。その後、制御部１０１は、図８Ｃに示すように、蛇腹ジャムが戻ったタイミング（定着ローラー６３および加圧ローラー６４の逆回転時間から判断される）で、定着ローラー６３および加圧ローラー６４を所定時間だけ正回転させることによって、画像形成装置２内に残留する部分を搬送方向に搬送させるための準備を行う。
【００６２】
また、巻き取り装置３内（例えば、図６における用紙搬送経路上の位置Ｊ４）かつ長尺紙Ｐの先端位置で用紙ジャム（例えば、蛇腹ジャム）が発生した場合、制御部１０１は、用紙ジャムが発生した位置の搬送方向上流側の直前に位置する搬送ローラー対９１を逆回転させることによって、搬送ローラー対９１に長尺紙Ｐを通紙して蛇腹ジャムを戻す。その後、制御部１０１は、蛇腹ジャムが戻ったタイミングで、搬送ローラー対９１を所定時間だけ正回転させることによって、長尺紙Ｐを搬送方向に搬送させるための準備を行う。なお、制御部１０１は、巻き取り側切断部１２０を制御して長尺紙Ｐを幅方向に切断しても良い。この場合、制御部１０１は、搬送ローラー対９０〜９２を正回転させることによって、切断された長尺紙Ｐのうち巻き取り装置３内に残留する部分を搬送方向に搬送して、搬送経路切り替え部材９４の搬送方向下流側まで移動させる。その後、制御部１０１は、搬送経路切り替え部材９４を図６に示す通常位置から時計回り方向に所定角度だけ回転させるとともに搬送ローラー対９１，９２を逆回転させることによって、切断された長尺紙Ｐのうち巻き取り装置３内に残留する部分を搬送方向と逆方向に搬送して巻き取り側退避部９５に移動させる。その後、ユーザーは、巻き取り装置３の前扉を開けて、巻き取り側退避部９５に移動された長尺紙Ｐを取り出す。または、切断された長尺紙Ｐのうち巻き取り装置３内に残留する部分を移動させずに、ユーザーが、巻き取り装置３の前扉を開けて、用紙搬送経路上に残留する当該部分を取り出しても良い。
【００６３】
また、給紙装置１内（例えば、図７における用紙搬送経路上の位置Ｊ１）かつ長尺紙Ｐの途中位置で用紙ジャム（例えば、蛇腹ジャム）が発生した場合、制御部１０１は、用紙ジャムが発生した位置の搬送方向上流側の直前に位置する搬送ローラー対８１を逆回転させることによって、搬送ローラー対８１に長尺紙Ｐを通紙して蛇腹ジャムを戻す。その後、制御部１０１は、蛇腹ジャムが戻ったタイミングで、搬送ローラー対８１を所定時間だけ正回転させることによって、長尺紙Ｐを搬送方向に搬送させるための準備を行う。なお、制御部１０１は、搬送ローラー対８１を逆回転させることによって長尺紙Ｐに発生するたるみを吸収するため、搬送ローラー対８１の搬送方向上流側に位置する搬送ローラー対８０を離間させても良い。ただし、用紙搬送経路に上記たるみを吸収するだけの余裕があれば、搬送ローラー対８０を必ずしも離間させる必要はない。
【００６４】
また、画像形成装置２内において長尺紙Ｐに画像を形成する画像形成位置（二次転写ニップ）の搬送方向上流側（例えば、図７における用紙搬送経路上の位置Ｊ２）かつ長尺紙Ｐの途中位置で用紙ジャム（例えば、蛇腹ジャム）が発生した場合、制御部１０１は、用紙ジャムが発生した位置の搬送方向上流側の直前に位置する搬送ローラー対５３ｃを逆回転させることによって、搬送ローラー対５３ｃに長尺紙Ｐを通紙して蛇腹ジャムを戻す。その後、制御部１０１は、蛇腹ジャムが戻ったタイミングで、搬送ローラー対５３ｃを所定時間だけ正回転させることによって、長尺紙Ｐを搬送方向に搬送させるための準備を行う。なお、制御部１０１は、搬送ローラー対５３ｃを逆回転させることによって長尺紙Ｐに発生するたるみを吸収するため、搬送ローラー対５３ｃの搬送方向上流側に位置する搬送ローラー対５３ｂを離間させても良い。ただし、用紙搬送経路に上記たるみを吸収するだけの余裕があれば、搬送ローラー対５３ｂを必ずしも離間させる必要はない。なお、長尺紙Ｐの幅方向の片寄りに起因する用紙ジャムが発生した場合には、制御部１０１は、長尺紙Ｐの幅方向の両側に位置するガイド板（図示せず）を制御することによって長尺紙Ｐの片寄りを解消させる。
【００６５】
また、画像形成装置２内において長尺紙Ｐに画像を定着する定着位置（定着ニップ）の搬送方向下流側（例えば、図７における用紙搬送経路上の位置Ｊ３）かつ長尺紙Ｐの途中位置で用紙ジャム（例えば、蛇腹ジャム）が発生した場合、制御部１０１は、用紙ジャムが発生した位置の搬送方向上流側の直前に位置する定着ローラー６３および加圧ローラー６４を逆回転させることによって、定着ニップに長尺紙Ｐを通紙して蛇腹ジャムを戻す。その後、制御部１０１は、蛇腹ジャムが戻ったタイミングで、定着ローラー６３および加圧ローラー６４を所定時間だけ正回転させることによって、長尺紙Ｐを搬送方向に搬送させるための準備を行う。
【００６６】
また、巻き取り装置３内（例えば、図７における用紙搬送経路上の位置Ｊ４）かつ長尺紙Ｐの途中位置で用紙ジャム（例えば、蛇腹ジャム）が発生した場合、制御部１０１は、用紙ジャムが発生した位置の搬送方向上流側の直前に位置する搬送ローラー対９１を逆回転させることによって、搬送ローラー対９１に長尺紙Ｐを通紙して蛇腹ジャムを戻す。その後、制御部１０１は、蛇腹ジャムが戻ったタイミングで、搬送ローラー対９１を所定時間だけ正回転させることによって、長尺紙Ｐを搬送方向に搬送させるための準備を行う。なお、制御部１０１は、搬送ローラー対９１を逆回転させることによって長尺紙Ｐに発生するたるみを吸収するため、搬送ローラー対９１の搬送方向上流側に位置する搬送ローラー対９０を離間させても良い。ただし、用紙搬送経路に上記たるみを吸収するだけの余裕があれば、搬送ローラー対９０を必ずしも離間させる必要はない。
【００６７】
なお、搬送ローラー対５２ａ，５３ａ〜５３ｆ，８０〜８３，９０〜９２、定着ローラー６３、加圧ローラー６４、搬送経路切り替え部材８５，９３，９４、給紙側切断部１１０巻き取り側切断部１２０および二次転写ローラー４２４は、本発明の「ジャム処理実行部」に対応する。
【００６８】
次に、図９のフローチャートを参照し、本実施の形態における画像形成システム１００のジャム処理を説明する。なお、図９に示すジャム処理は、例えば印刷ジョブに対応する画像形成処理を実行するタイミングで実行される。
【００６９】
まず、制御部１０１は、ジャム検知部７５からジャムコードが出力されたか否かを確認することによって用紙ジャムが発生したか否かについて判定する（ステップＳ１００）。この判定の結果、用紙ジャムが発生していない場合（ステップＳ１００、ＮＯ）、処理はステップＳ１００の前に戻る。一方、用紙ジャムが発生した場合（ステップＳ１００、ＹＥＳ）、制御部１０１は、画像形成部４０および定着部６０を制御して、長尺紙Ｐに対する画像形成動作を中断させる（ステップＳ１２０）。
【００７０】
次に、制御部１０１は、ジャム検知部７５から出力されたジャムコードを参照し、用紙ジャムの発生位置を表示部２１に表示させる（ステップＳ１４０）。次に、制御部１０１は、ジャム処理を実行するための実行釦を表示部２１に表示させる（ステップＳ１６０）。なお、実行釦は、印刷釦と共用されても良い。
【００７１】
次に、制御部１０１は、表示部２１に表示された実行釦がユーザーによって押下されたか否かについて判定する（ステップＳ１８０）。この判定の結果、実行釦がユーザーによって押下されていない場合（ステップＳ１８０、ＮＯ）、処理はステップＳ１８０の前に戻る。一方、実行釦がユーザーによって押下された場合（ステップＳ１８０、ＹＥＳ）、制御部１０１は、用紙ジャムの発生状況に応じて、当該用紙ジャムを解消するためのジャム処理の実行を開始させる（ステップＳ２００）。
【００７２】
次に、制御部１０１は、中断中の画像形成動作を再開するための再開釦を表示部２１に表示させる（ステップＳ２２０）。次に、制御部１０１は、表示部２１に表示された再開釦がユーザーによって押下されたか否かについて判定する（ステップＳ２４０）。この判定の結果、再開釦がユーザーによって押下されていない場合（ステップＳ２４０、ＮＯ）、処理はステップＳ２４０の前に戻る。一方、再開釦がユーザーによって押下された場合（ステップＳ２４０、ＹＥＳ）、制御部１０１は、画像形成部４０および定着部６０を制御して、長尺紙Ｐに対する画像形成動作を再開させる（ステップＳ２６０）。ステップＳ２６０の処理が完了することによって、画像形成システム１００は図９における処理を終了する。
【００７３】
なお、ステップＳ２００におけるジャム処理において長尺紙Ｐを幅方向に切断する場合、制御部１０１は、その切断位置を表示部２１に表示させても良い。また、ジャム処理を実行する場合、そのジャム処理の対象となる長尺紙Ｐの現在位置をリアルタイムで表示部２１に表示させても良い。これにより、ユーザーは、画像形成システム１００によって実行されているジャム処理の内容を容易に把握することができる。
【００７４】
また、ステップＳ２００におけるジャム処理において、給紙側切断部１１０により切断された長尺紙Ｐのうち画像形成装置２内に残留する部分を搬送方向に搬送して巻き取り側退避部９５に移動させる場合、前もって定着部６０を稼働し、当該部分の未定着トナー像を定着温度で確実に定着できるようにすることが望ましい。
【００７５】
以上詳しく説明したように、本実施の形態では、画像形成システム１００は、長尺紙Ｐを給紙する給紙装置１と、給紙装置１により給紙された長尺紙Ｐに画像を形成する画像形成装置２と、画像形成装置２により画像が形成された長尺紙Ｐを排紙する巻き取り装置３とを備える。さらに、画像形成システム１００は、画像形成システム１００内において用紙ジャムが発生した際に、当該用紙ジャムを解消するためのジャム処理を実行するジャム処理実行部と、用紙ジャムの発生状況に応じて、ジャム処理を実行するようにジャム処理実行部を制御する制御部１０１とを備える。
【００７６】
このように構成した本実施の形態によれば、画像形成システム１００内において用紙ジャムが発生した際に、用紙ジャムの発生状況に応じて、好適なジャム処理が自動的に実行されるため、ユーザーは、用紙ジャムを起こして搬送途中で停止している長尺紙を除去するという大変面倒な作業をわざわざ行うことなく（すなわち、ユーザーに大きな負担を与えることなく）、画像形成動作を再開させることができる。
【００７７】
なお、上記実施の形態では、画像形成システム１００内において用紙ジャムが発生した際、操作部２２によりジャム処理の実行が受け付けられた場合に当該ジャム処理の実行を開始する例について説明したが、操作部２２によりジャム処理の実行が受け付けられたか否かに関係なく当該ジャム処理の実行を開始するようにしても良い。また、制御部１０１は、操作部２２によりジャム処理の実行が受け付けられている間（実行釦が押下されている間）だけ当該ジャム処理を実行させても良い。
【００７８】
また、上記実施の形態において、ジャム処理として用紙ジャムが発生していない場合の搬送速度より遅い速度（例えば、４０［ｍｍ／秒］）で長尺紙Ｐを搬送している最中に、その搬送を実行する搬送ローラー対の駆動モーターに規定トルク以上の負荷がかかった場合には長尺紙Ｐの搬送動作を停止することが望ましい。長尺紙Ｐの搬送中に新たな用紙ジャムが発生した可能性が高く、そのまま搬送動作を続行すると機械故障が発生するからである。この場合は、画像形成システム１００でジャム処理を行うのではなく、ユーザーが適切なジャム処理を行う。
【００７９】
また、上記実施の形態において、ジャム処理において長尺紙Ｐを幅方向に切断する場合、操作部２２によりジャム処理の実行が受け付けられたとき、制御部１０１の制御を受けた給紙側切断部１１０または巻き取り側切断部１２０が自動的に長尺紙Ｐを切断する例について説明したが、本発明はこれに限らない。例えば、ユーザーが手動で長尺紙Ｐを切断するようにしても良い。また、操作部２２によりジャム処理の実行が受け付けられる前に、制御部１０１の制御を受けた給紙側切断部１１０または巻き取り側切断部１２０が自動的に長尺紙Ｐを切断しても良い。
【００８０】
また、上記実施の形態において、長尺紙Ｐの途中位置に用紙ジャムが発生した場合、ジャム処理において当該用紙ジャムが発生した位置の搬送方向上流側の直前に位置する搬送ローラーを逆回転させた後に正回転させる例について説明したが、本発明はこれに限定されない。例えば、長尺紙Ｐの先端位置に用紙ジャムが発生した場合について説明したように、ジャム処理において長尺紙Ｐを切断する処理を含めても良い。
【符号の説明】
【００８１】
１  給紙装置
２  画像形成装置
３  巻き取り装置
１０  画像読取部
２０  操作表示部
２１  表示部
２２  操作部
３０  画像処理部
４０  画像形成部
５０  用紙搬送部
５２ａ，５３ａ，５３ｂ，５３ｃ，５３ｄ，５３ｅ，５３ｆ，８０，８１，８２，８３，９０，９１，９２  搬送ローラー対
６０  定着部
７１  通信部
７２  記憶部
７５  ジャム検知部
８５，９３，９４  搬送経路切り替え部材
８６  給紙側退避部
９５  巻き取り側退避部
１００  画像形成システム
１０１  制御部
１０２  ＣＰＵ
１０３  ＲＯＭ
１０４  ＲＡＭ
１１０  給紙側切断部
１２０  巻き取り側切断部
【図１】
2015210433.tif 000003
【図２】
2015210433.tif 000004
【図３】
2015210433.tif 000005
【図４】
2015210433.tif 000006
【図５】
2015210433.tif 000007
【図６】
2015210433.tif 000008
【図７】
2015210433.tif 000009
【図８】
2015210433.tif 000010
【図９】
2015210433.tif 000011